(57)【要約】【課題】蓄電システムの構成状態を考慮した、パワーコンディショナーへの電力の供給の制御を行う。【解決手段】検出スイッチ７０ａ，７０ｃは、蓄電システム１０００の構成状態である連結状態Ｘおよび非連結状態ＮＸを選択的に検出する。連結状態Ｘは、パワーコンディショナー１００と蓄電池ユニット２００とが連結した状態である。非連結状態ＮＸは、パワーコンディショナー１００と蓄電池ユニット２００とが分離された状態である。制御部１１０は、検出スイッチ７０ａ，７０ｃが検出した構成状態に基づいて、パワーコンディショナー１００への電力の供給を制御するための処理を行う。【選択図】図１
2015233374.tif 000002
【特許請求の範囲】
【請求項１】
蓄電システムであって、
充電する機能と放電する機能とを有する蓄電池ユニットと、
前記蓄電池ユニットに充電させる機能と、当該蓄電池ユニットに放電させる機能とを有するパワーコンディショナーと、を備え、
前記パワーコンディショナーおよび前記蓄電池ユニットは、前記蓄電システムの構成状態を、当該パワーコンディショナーと当該蓄電池ユニットとが連結した連結状態、および、当該パワーコンディショナーと当該蓄電池ユニットとが分離された非連結状態のいずれかに設定するための連結構造を有し、
前記蓄電システムは、さらに、
前記構成状態である前記連結状態および前記非連結状態を選択的に検出する第１検出スイッチと、
前記第１検出スイッチが検出した前記構成状態に基づいて、前記パワーコンディショナーへの電力の供給を制御するための処理を行う制御部と、を備える
蓄電システム。
【請求項２】
前記蓄電池ユニットには、穴が設けられ、
前記パワーコンディショナーには、前記蓄電システムの構成状態を前記連結状態にするために、前記穴を利用して前記蓄電池ユニットと係合する係止部が設けられ、
前記連結構造の一部または全ては、前記穴と前記係止部とから構成される
請求項１に記載の蓄電システム。
【請求項３】
前記第１検出スイッチは、
前記連結状態において前記係止部に接触し、かつ、前記非連結状態において当該係止部と接触しないように構成されたレバーと、
前記レバーが前記係止部と接触している場合前記連結状態を検出し、当該レバーが当該係止部と接触していない場合前記非連結状態を検出する第１検出回路とを含む
請求項２に記載の蓄電システム。
【請求項４】
前記第１検出スイッチは、前記蓄電池ユニットに設けられる
請求項３に記載の蓄電システム。
【請求項５】
前記第１検出スイッチは、前記パワーコンディショナーに設けられ、
前記第１検出スイッチは、さらに、前記非連結状態において、前記パワーコンディショナーの内部を保護するための第１カバーが当該パワーコンディショナーに取付けられている第１取付け状態と、当該非連結状態において、当該第１カバーが当該パワーコンディショナーに取付けられていない第１非取付け状態とを選択的に検出する
請求項１から３のいずれか１項に記載の蓄電システム。
【請求項６】
前記蓄電池ユニットには、第２検出スイッチが設けられ、
前記第２検出スイッチは、前記非連結状態において、前記蓄電池ユニットの内部を保護するための第２カバーが当該蓄電池ユニットに取付けられている第２取付け状態と、当該非連結状態において、当該第２カバーが当該蓄電池ユニットに取付けられていない第２非取付け状態とを選択的に検出する
請求項１から５のいずれか１項に記載の蓄電システム。
【請求項７】
前記制御部は、前記第１検出スイッチが前記連結状態を検出した場合、前記パワーコンディショナーへ電力が供給されるための処理を行う
請求項１から６のいずれか１項に記載の蓄電システム。
【請求項８】
前記パワーコンディショナーには、当該パワーコンディショナーの内部を保護するための扉が取付けられており、
前記扉は、開閉自在に構成されており、
前記蓄電システムは、さらに、
前記扉が開いている開状態と、当該扉が閉じている閉状態とを選択的に検出する第３検出スイッチを備え、
前記制御部は、前記第１検出スイッチが前記連結状態を検出し、かつ、前記第３検出スイッチが前記閉状態を検出した場合、前記パワーコンディショナーへ電力が供給されるための処理を行う
請求項１から６のいずれか１項に記載の蓄電システム。
【請求項９】
前記パワーコンディショナーには、当該パワーコンディショナーの内部を保護するための扉が取付けられており、
前記扉は、開閉自在に構成されており、
前記蓄電システムは、さらに、
前記扉が開いている開状態と、当該扉が閉じている閉状態とを選択的に検出する第３検出スイッチを備え、
前記制御部は、前記第１検出スイッチが前記非連結状態を検出し、かつ、当該第１検出スイッチが前記第１取付け状態を検出し、かつ、前記第３検出スイッチが前記閉状態を検出した場合、前記パワーコンディショナーへ電力が供給されるための処理を行う
請求項５に記載の蓄電システム。
【請求項１０】
前記制御部は、前記第１検出スイッチが前記非連結状態を検出した場合、前記パワーコンディショナーへ電力の供給が行われないようにするための処理を行う
請求項１から６のいずれか１項に記載の蓄電システム。
【請求項１１】
前記蓄電システムに含まれる前記パワーコンディショナーの数は１であり、前記蓄電システムに含まれる前記蓄電池ユニットの数は２以上である
請求項１から１０のいずれか１項に記載の蓄電システム。
【発明の詳細な説明】
【技術分野】
【０００１】
本発明は、連結または分離されたパワーコンディショナーおよび蓄電池ユニットを含む蓄電システムに関する。
【背景技術】
【０００２】
一般的に、蓄電機能を有する蓄電システムは、電力需要が少ない夜間に、電力系統から供給される交流電力を、直流電力に変換するＡＣ／ＤＣ電力変換を行う。そして、蓄電システムは、当該直流電力を利用して、当該蓄電システムに内蔵される蓄電池を充電する。また、蓄電システムは、電力需要の大きい昼間に、蓄電池に充電された直流電力を、交流電力に変換するＤＣ／ＡＣ電力変換を行う。そして、蓄電システムは、当該交流電力を、住宅内の配電盤を経由して、住宅の電力系統へ戻す。これにより、電力の需要と供給の平準化が行われる。
【０００３】
従来の蓄電システムには、一体化されたパワーコンディショナーおよび蓄電池ユニット（蓄電池）が、分離可能に構成されたものがある。当該パワーコンディショナーは、ＤＣ／ＡＣ電力変換およびＡＣ／ＤＣ電力変換を行う機能を有する。当該蓄電池は、例えば、リチウムイオン電池である。蓄電池ユニットは、蓄電池を制御するためのユニットである。
【０００４】
特許文献１では、蓄電装置（蓄電池ユニット）の使用場所の制約を緩和するための技術（以下、「関連技術Ａ」ともいう）が開示されている。具体的には、関連技術Ａでは、蓄電装置にキャスターが取付けられる。この構成において、蓄電装置を移動させることにより、当該蓄電装置が、パワーコンディショナーから分離される。
【０００５】
特許文献２では、蓄電装置（蓄電池ユニット）が、電力供給装置（パワーコンディショナー）から分離可能で、かつ、当該蓄電装置を持ち運び可能に構成した技術（以下、「関連技術Ｂ」ともいう）が開示されている。これにより、例えば、屋外のレジャー等において、蓄電装置を使用できる。
【０００６】
なお、パワーコンディショナー等の電子機器では、一般的に、当該電子機器のメンテナンスを行うために、着脱自在な筐体カバーが設けられる。特許文献３では、筐体カバーを脱着する場合に、メンテナンス作業の安全性を高めるための技術（以下、「関連技術Ｃ」ともいう）が開示されている。具体的には、関連技術Ｃでは、筐体カバーが外された時に、電源装置の電力の出力を確実に遮断する構成が開示されている。当該構成では、開閉検知部と、電源遮断に係わる制御回路とが多重化される。これにより、フェールセーフを確保することができる。
【先行技術文献】
【特許文献】
【０００７】
【特許文献１】特開２０１３−００９５８４号公報
【特許文献２】特開平１１−０９８７１１号公報
【特許文献３】特開２０００−０２０１７４号公報
【発明の概要】
【発明が解決しようとする課題】
【０００８】
前述したように、従来の蓄電システムには、一体化されたパワーコンディショナーおよび蓄電池ユニットが、分離可能に構成されたものがある。当該蓄電システムは、様々な設置環境において使用される。具体的には、蓄電システムは、当該蓄電システムの設置環境に応じて、パワーコンディショナーと蓄電池ユニットとを連結した連結状態、および、パワーコンディショナーと蓄電池ユニットとを分離した非連結状態のいずれかで使用される。そのため、蓄電システムの設置環境に応じた、パワーコンディショナーへの電力の供給の制御が望まれる。すなわち、蓄電システムの構成状態である連結状態および非連結状態を考慮した、パワーコンディショナーへの電力の供給の制御が望まれる。
【０００９】
関連技術Ａ，Ｂ，Ｃでは、蓄電システムの構成状態を考慮した、パワーコンディショナーへの電力の供給の制御は、開示されていない。
【００１０】
本発明は、このような問題を解決するためになされたものであり、蓄電システムの構成状態を考慮した、パワーコンディショナーへの電力の供給の制御を行うことが可能な蓄電システムを提供することを目的とする。
【課題を解決するための手段】
【００１１】
上記目的を達成するために、本発明の一態様に係る蓄電システムは、充電する機能と放電する機能とを有する蓄電池ユニットと、前記蓄電池ユニットに充電させる機能と、当該蓄電池ユニットに放電させる機能とを有するパワーコンディショナーと、を備え、前記パワーコンディショナーおよび前記蓄電池ユニットは、前記蓄電システムの構成状態を、当該パワーコンディショナーと当該蓄電池ユニットとが連結した連結状態、および、当該パワーコンディショナーと当該蓄電池ユニットとが分離された非連結状態のいずれかに設定するための連結構造を有し、前記蓄電システムは、さらに、前記構成状態である前記連結状態および前記非連結状態を選択的に検出する第１検出スイッチと、前記第１検出スイッチが検出した前記構成状態に基づいて、前記パワーコンディショナーへの電力の供給を制御するための処理を行う制御部と、を備える。
【発明の効果】
【００１２】
本発明によれば、第１検出スイッチは、前記蓄電システムの構成状態である前記連結状態および前記非連結状態を選択的に検出する。制御部は、前記第１検出スイッチが検出した前記構成状態に基づいて、前記パワーコンディショナーへの電力の供給を制御するための処理を行う。
【００１３】
これにより、蓄電システムの構成状態を考慮した、パワーコンディショナーへの電力の供給の制御を行うことができる。
【図面の簡単な説明】
【００１４】
【図１】本発明の実施の形態１に係る配電システムの構成を示すブロック図である。
【図２】本発明の実施の形態１に係る蓄電システムの分解斜視図である。
【図３】本発明の実施の形態１に係る筐体の構成を説明するための図である。
【図４】連結状態Ｘにおける蓄電システムの状態を説明するための図である。
【図５】電力制御処理Ｓのフローチャートである。
【発明を実施するための形態】
【００１５】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１６】
なお、実施の形態において例示される各構成要素の寸法、材質、形状、それらの相対配置などは、本発明が適用される装置の構成や各種条件により適宜変更されるものであり、本発明はそれらの例示に限定されるものではない。また、各図における各構成要素の寸法は、実際の寸法と異なる場合がある。
【００１７】
＜実施の形態１＞
図１は、本発明の実施の形態１に係る配電システム２０００の構成を示すブロック図である。図１を参照して、配電システム２０００は、系統電源２と、負荷用分電盤３と、太陽電池４と、接続箱５と、蓄電システム１０００と、蓄電用分電盤１０と、一般負荷１１とを含む。
【００１８】
蓄電システム１０００は、接続箱５を介して、太陽電池４と接続される。太陽電池４は、当該太陽電池４に太陽光が照射されることにより、直流電力を発生させる。また、蓄電システム１０００は、負荷用分電盤３を介して、系統電源２と接続される。系統電源２は、交流電力を供給する電源である。また、蓄電システム１０００は、蓄電用分電盤１０を介して、一般負荷１１と接続される。一般負荷１１は、例えば、交流電力で動作する、家庭用の電化製品である。
【００１９】
蓄電システム１０００は、パワーコンディショナー１００と、蓄電池ユニット２００とを備える。蓄電池ユニット２００は、充電する機能と放電する機能とを有する。具体的には、蓄電池ユニット２００は、電池制御部８と、蓄電池９とを含む。蓄電池９は、充電する機能と放電する機能とを有する電池である。蓄電池９は、例えば、リチウムイオン電池である。電池制御部８は、蓄電池９を制御する。
【００２０】
パワーコンディショナー１００は、ＡＣ／ＤＣ電力変換およびＤＣ／ＡＣ電力変換を行う機能を有する。また、パワーコンディショナー１００は、蓄電池ユニット２００に充電させる機能と、蓄電池ユニット２００に放電させる機能とを有する。具体的には、パワーコンディショナー１００は、電池制御部８を介して、蓄電池９に充電させる処理と、当該蓄電池９に放電させる処理とを行う。パワーコンディショナー１００は、例えば、電力需要が少ない夜間に余剰電力を利用して蓄電池９を充電させる処理と、電力需要が大きい昼間に蓄電池９に蓄えた電力を外部へ供給する処理とを行う。
【００２１】
次に、配電システム２０００の動作について簡単に説明する。系統電源２から供給される交流電力は、負荷用分電盤３を介して、蓄電システム１０００に供給される。パワーコンディショナー１００は、当該交流電力を直流電力に変換するＡＣ／ＤＣ電力変換を行う。そして、パワーコンディショナー１００は、当該直流電力を利用して蓄電池９が充電されるように、電池制御部８を制御する。
【００２２】
また、太陽電池４が発生する直流電力は、接続箱５を介して、蓄電システム１０００に供給される。パワーコンディショナー１００は、当該直流電力のレベルを変化させるＤＣ／ＤＣ電力変換を行う。そして、パワーコンディショナー１００は、レベルが変化した当該直流電力を利用して、蓄電池９が充電されるように、電池制御部８を制御する。
【００２３】
また、パワーコンディショナー１００は、当該直流電力を交流電力に変換するＤＣ／ＡＣ電力変換を行う。そして、パワーコンディショナー１００は、当該交流電力が一般負荷１１に供給されるように、蓄電用分電盤１０を制御する。
【００２４】
また、パワーコンディショナー１００は、蓄電池９に蓄えられた直流電力を、電池制御部８を介して取得する。そして、パワーコンディショナー１００は、当該直流電力を交流電力に変換するＤＣ／ＡＣ電力変換を行う。そして、パワーコンディショナー１００は、当該交流電力が一般負荷１１に供給されるように、蓄電用分電盤１０を制御する。
【００２５】
以上のように、配電システム２０００では、電力料金の安い夜間の時間帯に、系統電源２からの交流電力を使用して、蓄電池９が充電される。また、配電システム２０００では、電力の使用量が多い日中において、蓄電池９に蓄えられた直流電力が、屋内に設けられた一般負荷１１へ供給される。また、配電システム２０００では、太陽電池４が発生した直流電力が交流電力に変換される。そして、当該交流電力が、一般負荷１１に供給される。また、配電システム２０００では、当該交流電力が変換された直流電力を利用して、蓄電池９が充電される。
【００２６】
次に、蓄電システム１０００の詳細な構成について説明する。図２は、本発明の実施の形態１に係る蓄電システム１０００の分解斜視図である。図２において、Ｘ，Ｙ，Ｚ方向の各々は、互いに直交する。以下の図に示されるＸ，Ｙ，Ｚ方向の各々も、互いに直交する。以下においては、Ｘ方向と、当該Ｘ方向の反対の方向（−Ｘ方向）とを含む方向を「Ｘ軸方向」ともいう。また、以下においては、Ｙ方向と、当該Ｙ方向の反対の方向（−Ｙ方向）とを含む方向を「Ｙ軸方向」ともいう。また、以下においては、Ｚ方向と、当該Ｚ方向の反対の方向（−Ｚ方向）とを含む方向を「Ｚ軸方向」ともいう。
【００２７】
また、以下においては、Ｘ軸方向およびＹ軸方向を含む平面を、「ＸＹ面」ともいう。また、以下においては、Ｘ軸方向およびＺ軸方向を含む平面を、「ＸＺ面」ともいう。また、以下においては、Ｙ軸方向およびＺ軸方向を含む平面を、「ＹＺ面」ともいう。
【００２８】
図１および図２を参照して、蓄電システム１０００は、前述したように、パワーコンディショナー１００と、蓄電池ユニット２００とを備える。
【００２９】
パワーコンディショナー１００は、制御部１１０を備える。制御部１１０は、パワーコンディショナー１００内の各部を制御する。制御部１１０は、例えば、ＣＰＵ（Central Processing Unit）である。また、制御部１１０は、負荷用分電盤３、接続箱５および蓄電用分電盤１０を制御する。
【００３０】
また、パワーコンディショナー１００は、さらに、筐体２０と、基板２３とを備える。筐体２０は、パワーコンディショナー１００内の各部（例えば、基板２３）を収容する。筐体２０は、例えば、ＰＣＳ収納箱である。
【００３１】
図３は、本発明の実施の形態１に係る筐体２０の構成を説明するための図である。図３（ａ）は、筐体２０の構成を示す平面図である。図１および図３（ａ）を参照して、筐体２０は、ケース２１と、扉２２とから構成される。ケース２１および扉２２は、パワーコンディショナー１００の内部を保護するための部材である。扉２２は、パワーコンディショナー１００に取付けられている。扉２２は、開閉自在に構成されている。具体的には、扉２２は、当該扉２２が開閉自在なように、ケース２１に取付けられる。扉２２は、筐体２０の左側の側面から、当該基板２３を保護するように設けられる。
【００３２】
以下においては、扉２２が開いている状態を、「開状態Ｐ」ともいう。また、以下においては、扉２２が閉じている状態を、「閉状態ＮＰ」ともいう。扉２２の状態が開状態Ｐである場合、作業者は、基板２３等に対し、メンテナンス等を行うことができる。
【００３３】
ケース２１は、フロント部２１ａと、背面板２１ｂとから構成される。フロント部２１ａは、当該ケース２１の前面と、当該ケース２１の右側の側面とを形成する。背面板２１ｂは、ねじ等により、筐体２０（パワーコンディショナー１００）を、壁面等（図示せず）に固定するための板である。
【００３４】
基板２３は、パワーコンディショナー１００内の各部を制御する基板である。また、前述の制御部１１０は、例えば、基板２３に設けられる。基板２３には、電力線Ｌ１，Ｌ２が接続される。
【００３５】
パワーコンディショナー１００は、電力線Ｌ１により、前述の接続箱５と接続される。具体的には、基板２３は、電力線Ｌ１により、接続箱５と接続される。
【００３６】
蓄電池ユニット２００は、筐体５０と、基板５３とを備える。筐体５０は、蓄電池ユニット２００内の各部（例えば、基板５３、蓄電池９等）を収容する。基板５３には、前述の電池制御部８が設けられる。電池制御部８は、蓄電池ユニット２００内の各部を制御する機能を有する。基板５３は、蓄電池９と接続される。
【００３７】
筐体５０は、ケース５１と、扉５２とから構成される。ケース５１は、当該筐体５０の前面と、当該筐体５０の右側の側面とを形成する。ケース５１および扉５２は、蓄電池ユニット２００の内部を保護するための部材である。扉５２は、開閉自在に構成されている。具体的には、扉５２は、当該扉５２が開閉自在なように、ケース５１に取付けられる。扉５２は、筐体５０の左側の側面から、当該基板５３を保護するように設けられる。
【００３８】
以下においては、扉５２が開いている状態を、「開状態」ともいう。また、以下においては、扉５２が閉じている状態を、「閉状態」ともいう。扉５２の状態が開状態である場合、作業者は、基板５３等に対し、メンテナンス等を行うことができる。
【００３９】
扉５２には、開口Ｈ５が形成される。開口Ｈ５は、電力線等を通すための開口（配線口）である。なお、扉５２のうち開口Ｈ５の周辺部には、扉５２の外面から蓄電池ユニット２００の内部に対し、雨などの進入を防ぐための防水構造（図示せず）が形成される。なお、蓄電池ユニット２００が、例えば、床に設置される場合、筐体５０を床に固定するための固定部材等（図示せず）を使用して、当該蓄電池ユニット２００は床に設置される。なお、蓄電池ユニット２００が、地震等を起因とした揺れにより転倒しないように、当該蓄電池ユニット２００は固定部材により強固に固定される。
【００４０】
また、パワーコンディショナー１００は、電力線Ｌ２により、蓄電池ユニット２００と接続される。電力線Ｌ２は、パワーコンディショナー１００と蓄電池ユニット２００との間において、直流電力を伝達するための電力線である。具体的には、パワーコンディショナー１００に接続された電力線Ｌ２は、扉５２の開口Ｈ５を介して、蓄電池ユニット２００の内部と接続される。
【００４１】
パワーコンディショナー１００の基板２３は、電力線Ｌ２により、蓄電池ユニット２００の基板５３と接続される。前述したように、基板５３には、前述の電池制御部８が設けられる。具体的には、基板２３は、電力線Ｌ２により、電池制御部８と接続される。また、電池制御部８は、蓄電池９と接続される。
【００４２】
パワーコンディショナー１００が生成した直流電力は、電力線Ｌ２を介して、基板５３へ送られる。基板５３の電池制御部８は、当該直流電力を利用して、蓄電池９を充電する処理を行う。また、電池制御部８は、必要に応じて、蓄電池９に蓄えられた直流電力を、電力線Ｌ２を介して、パワーコンディショナー１００へ送る処理を行う。
【００４３】
パワーコンディショナー１００および蓄電池ユニット２００は、連結自在に構成される。以下においては、パワーコンディショナー１００と蓄電池ユニット２００とが連結した状態を、「連結状態Ｘ」ともいう。また、以下においては、パワーコンディショナー１００と蓄電池ユニット２００とが分離された状態を、「非連結状態ＮＸ」ともいう。
【００４４】
非連結状態ＮＸでは、パワーコンディショナー１００と蓄電池ユニット２００とは、異なる場所に設置することができる。例えば、非連結状態ＮＸでは、パワーコンディショナー１００は屋外に設置され、蓄電池ユニット２００は屋内に設置される。この場合、電力線Ｌ２により、パワーコンディショナー１００と、蓄電池ユニット２００とを接続して、当該パワーコンディショナー１００を稼働させることができる。
【００４５】
また、パワーコンディショナー１００および蓄電池ユニット２００は、詳細は後述するが、蓄電システム１０００の構成状態を、連結状態Ｘ、および、非連結状態ＮＸのいずれかに設定するための連結構造（以下、「連結構造ＣＮ」ともいう）を有する。
【００４６】
次に、非連結状態ＮＸにおけるパワーコンディショナー１００および蓄電池ユニット２００の構成について説明する。まず、非連結状態ＮＸにおけるパワーコンディショナー１００について説明する。
【００４７】
パワーコンディショナー１００の筐体２０は、扉２２の状態が閉状態ＮＰである場合、当該筐体２０の下部にカバーＢＣ１を取付け可能な構成を有する。この構成により、非連結状態ＮＸにおいて、パワーコンディショナー１００を使用する場合、扉２２の状態が閉状態ＮＰにされたパワーコンディショナー１００の下部には、図２のカバーＢＣ１が取付けられる。すなわち、扉２２の状態が閉状態ＮＰにされた筐体２０の下部には、カバーＢＣ１が取付けられる。カバーＢＣ１は、非連結状態ＮＸにおいて、パワーコンディショナー１００の内部を保護するための専用のカバー（ボトムカバー）である。
【００４８】
以下においては、非連結状態ＮＸにおいて、カバーＢＣ１がパワーコンディショナー１００（筐体２０）に取付けられている状態を、「取付け状態Ａ」ともいう。また、以下においては、非連結状態ＮＸにおいて、カバーＢＣ１がパワーコンディショナー１００（筐体２０）に取付けられていない状態を、「非取付け状態ＮＡ」ともいう。
【００４９】
カバーＢＣ１には、開口Ｈ３が形成される。開口Ｈ３は、電力線等を通すための開口（配線口）である。なお、カバーＢＣ１のうち開口Ｈ３の周辺部には、カバーＢＣ１の外面からパワーコンディショナー１００の内部に対し、雨、埃などの進入を防ぐための防水構造（図示せず）が形成される。非連結状態ＮＸにおいて、筐体２０の下部にカバーＢＣ１が固定された場合、基板２３に接続される電力線Ｌ１，Ｌ２は、開口Ｈ３を介して、外部に接続される。
【００５０】
また、カバーＢＣ１には、係止部Ｋ１ａおよび穴Ｈ１ｂが設けられる。係止部Ｋ１ａの形状は、例えば、Ｌ字状（鍵状）である。また、パワーコンディショナー１００のケース２１の下部には、穴Ｈ１ａが設けられる。係止部Ｋ１ａは、ケース２１の穴Ｈ１ａと相対するように設けられる。カバーＢＣ１の係止部Ｋ１ａは、取付け状態Ａにおいて、ケース２１のうち穴Ｈ１ａの周辺部と係合するように構成される。
【００５１】
また、パワーコンディショナー１００のケース２１の下部（底面側）には、係止部Ｋ１ｂが取付けられる。係止部Ｋ１ｂの形状は、例えば、Ｌ字状（鍵状）である。係止部Ｋ１ｂは、取付け状態Ａにおいて、カバーＢＣ１のうち穴Ｈ１ｂの周辺部と係合するように構成される。係止部Ｋ１ａが、ケース２１のうち穴Ｈ１ａの周辺部と係合し、係止部Ｋ１ｂが、カバーＢＣ１のうち穴Ｈ１ｂの周辺部と係合することにより、筐体２０の下部にカバーＢＣ１が取付けられる。
【００５２】
次に、非連結状態ＮＸにおける蓄電池ユニット２００について説明する。蓄電池ユニット２００の筐体５０は、扉５２の状態が閉状態である場合、当該筐体５０の上部にカバーＴＣ１を取付け可能な構成を有する。この構成により、非連結状態ＮＸにおいて、蓄電池ユニット２００を使用する場合、扉５２の状態が閉状態にされた蓄電池ユニット２００の上部には、図２のカバーＴＣ１が取付けられる。すなわち、扉５２の状態が閉状態にされた筐体５０の上部には、カバーＴＣ１が取付けられる。カバーＴＣ１は、非連結状態ＮＸにおいて、蓄電池ユニット２００の内部を保護するための専用のカバー（トップカバー）である。
【００５３】
以下においては、非連結状態ＮＸにおいて、カバーＴＣ１が蓄電池ユニット２００に取付けられている状態を、「取付け状態Ｂ」ともいう。また、以下においては、非連結状態ＮＸにおいて、カバーＴＣ１が蓄電池ユニット２００に取付けられていない状態を、「非取付け状態ＮＢ」ともいう。
【００５４】
なお、取付け状態ＢにおいてカバーＴＣ１と筐体５０とが接触（嵌合）する部分に、防水パッキン（図示せず）が設けられる。この構成により、カバーＴＣ１を蓄電池ユニット２００（筐体５０）に取付けた状態で、当該蓄電池ユニット２００を屋外に設置する場合、雨水等が、蓄電池ユニット２００の内部に入ることを防ぐことができる。
【００５５】
カバーＴＣ１の裏面には、係止部Ｋ２ａ，Ｋ２ｂが設けられる。係止部Ｋ２ａ，Ｋ２ｂの各々の形状は、例えば、Ｌ字状（鍵状）である。蓄電池ユニット２００には、穴Ｈ２ａ，Ｈ２ｂが設けられる。具体的には、ケース５１（筐体５０）の上部（上面側）には、穴Ｈ２ａ，Ｈ２ｂが設けられる。
【００５６】
係止部Ｋ２ａ，Ｋ２ｂは、それぞれ、穴Ｈ２ａ，Ｈ２ｂに相対するように設けられる。係止部Ｋ２ａは、取付け状態Ｂにおいて、ケース５１のうち穴Ｈ２ａの周辺部と係合するように構成される。係止部Ｋ２ｂは、取付け状態Ｂにおいて、ケース５１のうち穴Ｈ２ｂの周辺部と係合するように構成される。
【００５７】
係止部Ｋ２ａが、ケース５１のうち穴Ｈ２ａの周辺部と係合し、係止部Ｋ２ｂが、ケース５１のうち穴Ｈ２ｂの周辺部と係合することにより、筐体５０の上部にカバーＴＣ１が取付けられる。
【００５８】
次に、パワーコンディショナー１００と蓄電池ユニット２００とを連結するための連結構造ＣＮについて説明する。前述したように、蓄電池ユニット２００には、穴Ｈ２ｂが設けられる。具体的には、前述したように、ケース５１（筐体５０）の上部には、穴Ｈ２ｂが設けられる。また、パワーコンディショナー１００には、係止部Ｋ１ｂが設けられる。具体的には、前述したように、パワーコンディショナー１００のケース２１の下部には、係止部Ｋ１ｂが設けられる。係止部Ｋ１ｂは、蓄電システム１０００の構成状態を連結状態Ｘにするために、穴Ｈ２ｂを利用して蓄電池ユニット２００と係合する部材である。
【００５９】
具体的には、係止部Ｋ１ｂは、ケース５１のうち穴Ｈ２ｂの周辺部と係合する。これにより、Ｚ軸方向において、パワーコンディショナー１００と蓄電池ユニット２００とが連結される。すなわち、上記の連結構造ＣＮの一部は、穴Ｈ２ｂと係止部Ｋ１ｂとから構成される。
【００６０】
前述したように、パワーコンディショナー１００のケース２１の下部には、穴Ｈ１ａが設けられる。蓄電池ユニット２００のケース５１の上部には、係止部Ｋ３が設けられる。係止部Ｋ３が穴Ｈ１ａに挿入されることにより、パワーコンディショナー１００と蓄電池ユニット２００とが連結される。上記の連結構造ＣＮの別の一部は、穴Ｈ１ａと係止部Ｋ３とから構成される。
【００６１】
図４は、連結状態Ｘにおける蓄電システム１０００の状態を説明するための図である。図４（ａ）は、連結状態Ｘにおける蓄電システム１０００のＸＺ面に沿った断面図である。連結状態Ｘでは、パワーコンディショナー１００は、蓄電池ユニット２００の上部に配置される。
【００６２】
連結状態Ｘにおける蓄電システム１０００では、接続箱５に接続される電力線Ｌ１が、扉５２の開口Ｈ５と、筐体５０の内部とを介して、パワーコンディショナー１００の基板２３に接続される。また、負荷用分電盤３に接続される電力線と、蓄電用分電盤１０に接続される電力線とが、扉５２の開口Ｈ５と、筐体５０の内部とを介して、パワーコンディショナー１００の基板２３に接続される。
【００６３】
また、連結状態Ｘにおける蓄電システム１０００では、電力線Ｌ２により、パワーコンディショナー１００の基板２３と、蓄電池ユニット２００の基板５３とが最短距離で接続される。また、扉２２および扉５２が閉じている場合、外部から、電力線Ｌ２が見えない。
【００６４】
なお、連結状態Ｘにおける蓄電システム１０００では、開状態の扉５２の上部の外面を、扉２２の下部が覆うように、扉２２および扉５２は構成される。そのため、電力線Ｌ１，Ｌ２の各々が所定の位置に接続された後、扉５２が閉じられてから、扉２２が閉じられる。そのため、扉２２の状態が閉状態ＮＰである場合、扉５２の状態は、閉状態である。
【００６５】
次に、前述した、連結状態Ｘ、取付け状態Ａ、取付け状態Ｂ、開状態Ｐ等を検出するための構成について説明する。ここで、図４（ｂ）は、図４（ａ）の領域Ｒ２１の拡大図である。図４（ｃ）は、図４（ａ）の領域Ｒ２２の拡大図である。図４（ｄ）は、図４（ａ）の領域Ｒ２３の拡大図である。
【００６６】
まず、連結状態Ｘを検出するための構成について説明する。図４を参照して、蓄電システム１０００は、さらに、検出スイッチ７０ａ，７０ｃを備える。詳細は後述するが、検出スイッチ７０ａ，７０ｃの各々は、蓄電システム１０００の構成状態である連結状態Ｘおよび非連結状態ＮＸを選択的に検出する。
【００６７】
まず、検出スイッチ７０ａについて説明する。図４のように、検出スイッチ７０ａは、パワーコンディショナー１００に設けられる。図２および図４を参照して、具体的には、検出スイッチ７０ａは、筐体２０のうち、穴Ｈ１ａの周辺部に設けられる。
【００６８】
検出スイッチ７０ａは、例えば、レバー式のスイッチである。検出スイッチ７０ａは、レバー７２ａと、検出回路７１ａとを含む。レバー７２ａは、当該レバー７２ａが回転自在なように、検出回路７１ａに取付けられる。
【００６９】
レバー７２ａは、連結状態Ｘにおいて係止部Ｋ３に接触し、かつ、非連結状態ＮＸにおいて係止部Ｋ３と接触しないように構成される。レバー７２ａは、係止部Ｋ３と接触することにより、係止部Ｋ３から圧力を受ける。これにより、レバー７２ａは回転する。以下においては、レバー７２ａに圧力がかかっていない状態を、「圧力ゼロ状態」ともいう。
【００７０】
検出回路７１ａは、レバー７２ａの回転状態（回転角度）を検出する。検出回路７１ａは、レバー７２ａの回転角度が０度であるか否かにより、圧力ゼロ状態を検出する。検出回路７１ａは、レバー７２ａが係止部Ｋ３と接触している場合連結状態Ｘを検出する。具体的には、検出回路７１ａは、レバー７２ａが係止部Ｋ３と接触することにより当該レバー７２ａが回転している場合、連結状態Ｘを検出する。
【００７１】
また、検出回路７１ａは、レバー７２ａが係止部Ｋ３と接触していない場合非連結状態ＮＸを検出する。具体的には、検出回路７１ａは、レバー７２ａが係止部Ｋ３と接触していない場合、圧力ゼロ状態、すなわち、非連結状態ＮＸを検出する。すなわち、検出スイッチ７０ａ（検出回路７１ａ）は、連結状態Ｘおよび非連結状態ＮＸを選択的に検出する。
【００７２】
なお、検出回路７１ａは、動作状態として、オン状態とオフ状態とを有する。検出回路７１ａは、連結状態Ｘを検出した場合、オン状態となる。また、検出回路７１ａは、非連結状態ＮＸを検出した場合、オフ状態となる。
【００７３】
次に、検出スイッチ７０ｃについて説明する。図４のように、検出スイッチ７０ｃは、蓄電池ユニット２００に設けられる。図２および図４を参照して、具体的には、検出スイッチ７０ｃは、筐体５０のうち、穴Ｈ２ｂの周辺部に設けられる。
【００７４】
検出スイッチ７０ｃは、例えば、レバー式のスイッチである。検出スイッチ７０ｃは、レバー７２ｃと、検出回路７１ｃとを含む。レバー７２ｃは、当該レバー７２ｃが回転自在なように、検出回路７１ｃに取付けられる。
【００７５】
レバー７２ｃは、連結状態Ｘにおいてケース２１の係止部Ｋ１ｂに接触し、かつ、非連結状態ＮＸにおいて係止部Ｋ１ｂと接触しないように構成される。レバー７２ｃは、係止部Ｋ１ｂと接触することにより、係止部Ｋ１ｂから圧力を受ける。これにより、レバー７２ｃは回転する。以下においては、レバー７２ｃに圧力がかかっていない状態を、「圧力ゼロ状態」ともいう。
【００７６】
検出回路７１ｃは、検出回路７１ａと同様、レバー７２ｃの回転角度が０度であるか否かにより、圧力ゼロ状態を検出する。検出回路７１ｃは、レバー７２ｃが係止部Ｋ１ｂと接触している場合連結状態Ｘを検出する。具体的には、検出回路７１ｃは、レバー７２ｃが係止部Ｋ１ｂと接触することにより当該レバー７２ｃが回転している場合、連結状態Ｘを検出する。
【００７７】
また、検出回路７１ｃは、レバー７２ｃが係止部Ｋ１ｂと接触していない場合非連結状態ＮＸを検出する。具体的には、検出回路７１ｃは、レバー７２ｃが係止部Ｋ１ｂと接触していない場合、圧力ゼロ状態、すなわち、非連結状態ＮＸを検出する。すなわち、検出スイッチ７０ｃ（検出回路７１ｃ）は、連結状態Ｘおよび非連結状態ＮＸを選択的に検出する。
【００７８】
なお、検出回路７１ｃは、動作状態として、オン状態とオフ状態とを有する。検出回路７１ｃは、連結状態Ｘを検出した場合、オン状態となる。また、検出回路７１ｃは、非連結状態ＮＸを検出した場合、オフ状態となる。
【００７９】
次に、取付け状態Ａを検出するための構成について説明する。取付け状態Ａとは、前述したように、非連結状態ＮＸにおいて、カバーＢＣ１がパワーコンディショナー１００（筐体２０）に取付けられている状態である。取付け状態Ａは、検出スイッチ７０ａ（検出回路７１ａ）により検出される。
【００８０】
検出スイッチ７０ａは、連結状態Ｘおよび非連結状態ＮＸを選択的に検出する機能に加え、さらに、取付け状態Ａと、非取付け状態ＮＡとを選択的に検出する機能を有する。非取付け状態ＮＡとは、前述したように、非連結状態ＮＸにおいて、カバーＢＣ１がパワーコンディショナー１００（筐体２０）に取付けられていない状態である。
【００８１】
具体的には、検出スイッチ７０ａのレバー７２ａは、さらに、取付け状態Ａにおいて係止部Ｋ１ａに接触し、かつ、非取付け状態ＮＡにおいて係止部Ｋ１ａと接触しないように構成される。レバー７２ａは、係止部Ｋ１ａと接触することにより、係止部Ｋ１ａから圧力を受ける。これにより、レバー７２ａは回転する。
【００８２】
検出回路７１ａは、さらに、レバー７２ａが係止部Ｋ１ａと接触することにより当該レバー７２ａが回転している場合、取付け状態Ａを検出する。検出回路７１ａは、レバー７２ａが係止部Ｋ１ａと接触していない場合、圧力ゼロ状態、すなわち、非取付け状態ＮＡを検出する。すなわち、検出回路７１ａ（検出スイッチ７０ａ）は、レバー７２ａが、係止部Ｋ３または係止部Ｋ１ａと接触していない場合、非連結状態ＮＸに加え、非取付け状態ＮＡも検出する。
【００８３】
検出回路７１ａは、取付け状態Ａを検出した場合、オン状態となる。また、検出回路７１ａは、非取付け状態ＮＡを検出した場合、オフ状態となる。
【００８４】
次に、取付け状態Ｂを検出するための構成について説明する。取付け状態Ｂとは、前述したように、非連結状態ＮＸにおいて、カバーＴＣ１が蓄電池ユニット２００に取付けられている状態である。
【００８５】
図４を参照して、蓄電システム１０００は、さらに、検出スイッチ７０ｂを備える。検出スイッチ７０ｂは、蓄電池ユニット２００に設けられる。図２および図４を参照して、具体的には、検出スイッチ７０ｂは、筐体５０のうち、穴Ｈ２ａの周辺部に設けられる。
【００８６】
検出スイッチ７０ｂは、取付け状態Ｂと、非取付け状態ＮＢとを選択的に検出する機能を有する。非取付け状態ＮＢとは、前述したように、非連結状態ＮＸにおいて、カバーＴＣ１が蓄電池ユニット２００に取付けられていない状態である。
【００８７】
検出スイッチ７０ｂは、例えば、レバー式のスイッチである。検出スイッチ７０ｂは、レバー７２ｂと、検出回路７１ｂとを含む。レバー７２ｂは、当該レバー７２ｂが回転自在なように、検出回路７１ｂに取付けられる。レバー７２ｂは、取付け状態ＢにおいてカバーＴＣ１の係止部Ｋ２ａに接触し、かつ、非取付け状態ＮＢにおいて係止部Ｋ２ａと接触しないように構成される。
【００８８】
レバー７２ｂは、係止部Ｋ２ａと接触することにより、係止部Ｋ２ａから圧力を受ける。これにより、レバー７２ｂは回転する。以下においては、レバー７２ｂに圧力がかかっていない状態を、「圧力ゼロ状態」ともいう。
【００８９】
検出回路７１ｂは、検出回路７１ａと同様、レバー７２ｂの回転角度が０度であるか否かにより、圧力ゼロ状態を検出する。検出回路７１ｂは、レバー７２ｂが係止部Ｋ２ａと接触することにより当該レバー７２ｂが回転している場合、取付け状態Ｂを検出する。また、検出回路７１ｂは、レバー７２ｂが係止部Ｋ２ａと接触していない場合、圧力ゼロ状態、すなわち、非取付け状態ＮＢを検出する。
【００９０】
なお、検出回路７１ｂは、動作状態として、オン状態とオフ状態とを有する。検出回路７１ｂは、取付け状態Ｂを検出した場合、オン状態となる。また、検出回路７１ｂは、非取付け状態ＮＢを検出した場合、オフ状態となる。
【００９１】
また、取付け状態Ｂは、検出スイッチ７０ｃによっても、検出される。すなわち、検出スイッチ７０ｃは、連結状態Ｘおよび非連結状態ＮＸを選択的に検出する機能に加え、さらに、取付け状態Ｂと、非取付け状態ＮＢとを選択的に検出する機能を有する。
【００９２】
具体的には、検出スイッチ７０ｂのレバー７２ｂは、さらに、取付け状態Ｂにおいて係止部Ｋ２ｂに接触し、かつ、非取付け状態ＮＢにおいて係止部Ｋ２ｂと接触しないように構成される。レバー７２ｂは、係止部Ｋ２ｂと接触することにより、係止部Ｋ２ｂから圧力を受ける。これにより、レバー７２ｂは回転する。
【００９３】
検出回路７１ｂは、さらに、レバー７２ｂが係止部Ｋ２ｂと接触することにより当該レバー７２ｂが回転している場合、取付け状態Ｂを検出する。検出回路７１ｂは、レバー７２ｂが係止部Ｋ２ｂと接触していない場合、圧力ゼロ状態、すなわち、非取付け状態ＮＢを検出する。すなわち、検出回路７１ｂ（検出スイッチ７０ｂ）は、レバー７２ｂが、係止部Ｋ１ｂまたは係止部Ｋ２ｂと接触していない場合、非連結状態ＮＸに加え、非取付け状態ＮＢも検出する。
【００９４】
検出回路７１ｂは、取付け状態Ｂを検出した場合、オン状態となる。また、検出回路７１ｂは、非取付け状態ＮＢを検出した場合、オフ状態となる。
【００９５】
次に、開状態Ｐを検出するための構成について説明する。開状態Ｐとは、前述したように、筐体２０において、扉２２が開いている状態である。図３（ｂ）は、図３（ａ）の領域Ｒ１２の拡大図である。
【００９６】
図２および図３を参照して、蓄電システム１０００は、さらに、検出スイッチ７０ｄを備える。検出スイッチ７０ｄは、開状態Ｐと閉状態ＮＰとを選択的に検出する。閉状態ＮＰとは、前述したように、筐体２０において、扉２２が閉じている状態である。図２および図３に示すように、扉２２には、突起部２２ｘが設けられる。
【００９７】
検出スイッチ７０ｄは、例えば、レバー式のスイッチである。検出スイッチ７０ｄは、突起部２２ｘと相対する位置に設けられる。検出スイッチ７０ｄは、レバー７２ｄと、検出回路７１ｄとを含む。レバー７２ｄは、当該レバー７２ｄが回転自在なように、検出回路７１ｄに取付けられる。レバー７２ｄは、閉状態ＮＰにおいて扉２２の突起部２２ｘに接触し、かつ、開状態Ｐにおいて突起部２２ｘと接触しないように構成される。
【００９８】
レバー７２ｄは、突起部２２ｘと接触することにより、突起部２２ｘから圧力を受ける。これにより、レバー７２ｄは回転する。以下においては、レバー７２ｄに圧力がかかっていない状態を、「圧力ゼロ状態」ともいう。
【００９９】
検出回路７１ｄは、検出回路７１ａと同様、レバー７２ｄの回転角度が０度であるか否かにより、圧力ゼロ状態を検出する。検出回路７１ｄは、レバー７２ｄが突起部２２ｘと接触することにより当該レバー７２ｄが回転している場合、閉状態ＮＰを検出する。また、検出回路７１ｄは、レバー７２ｄが突起部２２ｘと接触していない場合、圧力ゼロ状態、すなわち、開状態Ｐを検出する。
【０１００】
なお、検出回路７１ｄは、動作状態として、オン状態とオフ状態とを有する。検出回路７１ｄは、閉状態ＮＰを検出した場合、オン状態となる。また、検出回路７１ｄは、開状態Ｐを検出した場合、オフ状態となる。
【０１０１】
なお、パワーコンディショナー１００の制御部１１０は、検出スイッチ７０ａ，７０ｂ，７０ｃ，７０ｄの各々と通信可能に構成される。具体的には、制御部１１０は、検出回路７１ａ，７１ｂ，７１ｃ，７１ｄの各々と通信可能に構成される。これにより、制御部１１０は、検出回路７１ａ，７１ｂ，７１ｃ，７１ｄの各々の動作状態を常に把握している。
【０１０２】
次に、蓄電システム１０００の構成状態に基づいて、電力の供給を制御する処理（以下、「電力制御処理」ともいう）について説明する。パワーコンディショナー１００は、動作モードとして、通常モードと、待機モードとを有する。通常モードとは、パワーコンディショナー１００に、例えば、前述のＡＣ／ＤＣ電力変換等を行うために必要な、十分な電力が供給されているモードである。
【０１０３】
待機モードとは、パワーコンディショナー１００に対し、一部の回路のみが動作可能な、最低限の電力が供給されているモードである。当該一部の回路は、例えば、制御部１１０、検出回路７１ａ，７１ｂ，７１ｃ，７１ｄ等である。待機モードのパワーコンディショナー１００には、例えば、前述のＡＣ／ＤＣ電力変換等を行うために必要な電力が供給されていない。
【０１０４】
以下においては、待機モードのパワーコンディショナー１００に対し電力を供給するための電力制御処理を、「電力制御処理Ｓ」ともいう。また、以下においては、連結状態Ｘにおいて、通常モードのパワーコンディショナー１００に対し電力の供給を停止するための電力制御処理を、「電力制御処理Ｚ」ともいう。まず、電力制御処理Ｓについて説明する。
【０１０５】
図５は、電力制御処理Ｓのフローチャートである。電力制御処理Ｓは、例えば、パワーコンディショナー１００の動作モードを、通常モードにするための操作が行われた場合に、開始される。通常モードにするための操作とは、例えば、作業者が、パワーコンディショナー１００に設けられた電源ボタン（図示せず）を押下する操作である。
【０１０６】
ステップＳ１１０では、蓄電システム１０００の構成状態が、連結状態Ｘおよび非連結状態ＮＸのいずれであるか判定される。具体的には、制御部１１０が、検出回路７１ａ，７１ｃの各々の動作状態を参照することにより、蓄電システム１０００の構成状態を判定する。
【０１０７】
制御部１１０は、検出回路７１ａおよび検出回路７１ｃの両方の状態が、オン状態である場合、構成状態が、確実に、連結状態Ｘであると判定する。なお、検出回路７１ａ（検出スイッチ７０ａ）、および、検出回路７１ｃ（検出スイッチ７０ｃ）の両方が連結状態Ｘを検出した場合、検出回路７１ａおよび検出回路７１ｃの両方の状態はオン状態である。また、検出回路７１ａおよび検出回路７１ｃの両方の状態が、オン状態である場合、パワーコンディショナー１００と蓄電池ユニット２００とは確実に連結されている。
【０１０８】
また、制御部１１０は、検出回路７１ａおよび検出回路７１ｃの少なくとも一方がオフ状態である場合、構成状態が非連結状態ＮＸであると判定する。なお、検出回路７１ａ（検出スイッチ７０ａ）が非連結状態ＮＸを検出した場合、検出回路７１ａの状態はオフ状態である。また、検出回路７１ｃ（検出スイッチ７０ｃ）が非連結状態ＮＸを検出した場合、検出回路７１ｃの状態はオフ状態である。
【０１０９】
制御部１１０は、例えば、検出回路７１ａの状態がオン状態であり、検出回路７１ｃの状態がオフ状態である場合、パワーコンディショナー１００と蓄電池ユニット２００とが正常に連結されていないと判定する。検出回路７１ａの状態がオン状態であり、検出回路７１ｃの状態がオフ状態である場合、例えば、係止部Ｋ１ｂが、ケース５１のうち穴Ｈ２ｂの周辺部と正常に係合していない。すなわち、係止部Ｋ１ｂの係合状態に不具合がある。
【０１１０】
構成状態が、確実に、連結状態Ｘである場合、処理はステップＳ１２０へ移行する。なお、構成状態が確実に、連結状態Ｘである場合、検出回路７１ａおよび検出回路７１ｃの両方が連結状態Ｘを検出している。一方、構成状態が非連結状態ＮＸである場合、処理はステップＳ２１１へ移行する。
【０１１１】
ステップＳ１２０では、制御部１１０は、扉２２の状態が閉状態ＮＰであるか否かを判定する。なお、連結状態Ｘにおいて、扉２２の状態が閉状態ＮＰである場合、扉５２の状態は、閉状態である。また、前述したように、検出回路７１ｄ（検出スイッチ７０ｄ）が閉状態ＮＰを検出した場合、検出回路７１ｄの状態はオン状態である。
【０１１２】
具体的には、制御部１１０は、検出回路７１ｄの状態がオン状態であるか否かを参照する。ステップＳ１２０においてＹＥＳならば、処理はステップＳ１３０へ移行する。ステップＳ１２０においてＹＥＳの場合、パワーコンディショナー１００と蓄電池ユニット２００とが確実に連結され、かつ、扉２２の状態が閉状態ＮＰであり、かつ、扉５２の状態は、閉状態である。すなわち、ステップＳ１２０においてＹＥＳの場合、待機モードのパワーコンディショナー１００に電力を供給しても安全な状態である。
【０１１３】
一方、ステップＳ１２０においてＮＯである場合、すなわち、検出回路７１ｄの状態がオフ状態である場合、この電力制御処理Ｓは終了する。
【０１１４】
ステップＳ１３０では、電力供給制御処理Ｓが行われる。電力供給制御処理Ｓでは、制御部１１０が、パワーコンディショナー１００へ電力が供給されるための処理を行う。具体的には、電力供給制御処理Ｓでは、制御部１１０は、例えば、系統電源２からの交流電力が、負荷用分電盤３を介して、パワーコンディショナー１００へ供給されるように、当該負荷用分電盤３を制御する。なお、制御部１１０は、太陽電池４からの直流電力が、接続箱５を介して、パワーコンディショナー１００へ供給されるように、当該接続箱５を制御してもよい。
【０１１５】
以上の電力供給制御処理Ｓにより、パワーコンディショナー１００の動作モードは、通常モードとなる。そして、この電力制御処理Ｓは終了する。
【０１１６】
なお、ステップＳ１１０，Ｓ１２０，Ｓ１３０が行われることにより、制御部１１０は、検出スイッチ７０ａ，７０ｃが連結状態Ｘを検出し、かつ、検出スイッチ７０ｄが閉状態ＮＰを検出した場合、パワーコンディショナー１００へ電力が供給されるための処理を行う。すなわち、制御部１１０は、検出スイッチ７０ａ，７０ｃが検出した構成状態に基づいて、パワーコンディショナー１００への電力の供給を制御するための処理を行う。
【０１１７】
なお、前述のステップＳ１１０により、構成状態が非連結状態ＮＸであると判定された場合、処理はステップＳ２１１へ移行する。
【０１１８】
ステップＳ２１１では、トップカバーがあるか否かが判定される。すなわち、カバーＴＣ１が、筐体５０（蓄電池ユニット２００）に取付けられているか否かが判定される。具体的には、制御部１１０が、検出回路７１ｂの状態が、オン状態であるか否かを参照する。なお、前述したように、検出回路７１ｂ（検出スイッチ７０ｂ）が取付け状態Ｂを検出した場合、検出回路７１ｂの状態はオン状態である。
【０１１９】
ステップＳ２１１においてＹＥＳならば、処理はステップＳ２１２へ移行する。一方、ステップＳ２１１においてＮＯならば、この電力制御処理Ｓは終了する。
【０１２０】
なお、電力制御処理Ｓにおいて、ステップＳ２１１の処理は行われない構成としてもよい。この構成の場合、ステップＳ１１０により、構成状態が非連結状態ＮＸであると判定された場合、処理はステップＳ２１２へ移行する。
【０１２１】
ステップＳ２１２では、ボトムカバーがあるか否かが判定される。すなわち、カバーＢＣ１が、筐体２０（パワーコンディショナー１００）に取付けられているか否かが判定される。具体的には、制御部１１０が、検出回路７１ａの状態がオン状態であるか否かを参照する。なお、前述したように、検出回路７１ａ（検出スイッチ７０ａ）が取付け状態Ａを検出した場合、検出回路７１ａの状態はオン状態である。
【０１２２】
ステップＳ２１２においてＹＥＳならば、処理はステップＳ２１３へ移行する。一方、ステップＳ２１２においてＮＯならば、この電力制御処理Ｓは終了する。
【０１２３】
ステップＳ２１３では、制御部１１０は、扉２２の状態が閉状態ＮＰであるか否かを判定する。ステップＳ２１３の処理は、ステップＳ１２０の処理と同様であるので詳細な説明は繰り返さない。すなわち、制御部１１０は、検出回路７１ｄの状態がオン状態であるか否かを参照する。
【０１２４】
ステップＳ２１３においてＹＥＳならば、処理はステップＳ２３０へ移行する。一方、ステップＳ２１３においてＮＯならば、この電力制御処理Ｓは終了する。
【０１２５】
ステップＳ２３０では、電力供給制御処理Ｓが行われる。電力供給制御処理Ｓでは、ステップＳ１３０の電力供給制御処理Ｓと同様なので詳細な説明は繰り返さない。
【０１２６】
以上の電力供給制御処理Ｓにより、パワーコンディショナー１００の動作モードは、通常モードとなる。そして、この電力制御処理Ｓは終了する。
【０１２７】
なお、ステップＳ１１０，Ｓ２１２，Ｓ２１３，Ｓ２３０が行われることにより、制御部１１０は、検出スイッチ７０ａ，７０ｃが非連結状態ＮＸを検出し、かつ、検出スイッチ７０ａが取付け状態Ａを検出し、かつ、検出スイッチ７０ｄが閉状態ＮＰを検出した場合、パワーコンディショナー１００へ電力が供給されるための処理を行う。すなわち、制御部１１０は、検出スイッチ７０ａ，７０ｃが検出した構成状態に基づいて、パワーコンディショナー１００への電力の供給を制御するための処理を行う。
【０１２８】
次に、電力制御処理Ｚについて説明する。電力制御処理Ｚは、前述したように、連結状態Ｘにおいて、通常モードのパワーコンディショナー１００に対し電力の供給を停止するための電力制御処理である。電力制御処理Ｚは、例えば、前述の電力制御処理Ｓにより、連結状態Ｘにおいて、パワーコンディショナー１００の動作モードが通常モードになっている場合に行われる。
【０１２９】
ここで、仮に、以下の状況Ａが発生したとする。状況Ａは、例えば、地震等により、連結状態Ｘの蓄電システム１０００が揺れて、パワーコンディショナー１００と蓄電池ユニット２００との連結がはずれるという状況である。
【０１３０】
状況Ａが発生した場合、電力制御処理Ｚでは、検出スイッチ７０ａ，７０ｃの少なくとも一方が非連結状態ＮＸを検出した場合、制御部１１０は、パワーコンディショナー１００へ電力の供給が行われないようにするための電力供給停止処理を行う。
【０１３１】
なお、前述したように、検出回路７１ａ（検出スイッチ７０ａ）が非連結状態ＮＸを検出した場合、検出回路７１ａの状態はオフ状態である。また、検出回路７１ｃ（検出スイッチ７０ｃ）が非連結状態ＮＸを検出した場合、検出回路７１ｃの状態はオフ状態である。
【０１３２】
具体的には、電力制御処理Ｚでは、制御部１１０が、検出回路７１ａ，７１ｃの少なくとも一方がオフ状態であることを確認した場合、当該制御部１１０は、パワーコンディショナー１００へ電力の供給が行われないようにするための電力供給停止処理を行う。
【０１３３】
電力供給停止処理では、制御部１１０は、例えば、系統電源２からの交流電力が、負荷用分電盤３を介して、パワーコンディショナー１００へ供給されないように、当該負荷用分電盤３を制御する。また、制御部１１０は、太陽電池４からの直流電力が、接続箱５を介して、パワーコンディショナー１００へ供給されないように、当該接続箱５を制御する。これにより、パワーコンディショナー１００に対し電力の供給が停止される。
【０１３４】
以上により、例えば、蓄電システム１０００が揺れて、パワーコンディショナー１００と蓄電池ユニット２００との連結がはずれた場合、通常モードのパワーコンディショナー１００に対し電力の供給を停止するための電力制御処理Ｚが行われる。これにより、蓄電システム１０００の安全性を確保することができる。
【０１３５】
なお、電力制御処理Ｚは、例えば、通常モードのパワーコンディショナー１００において、扉２２の状態が開状態Ｐになった場合に行われてもよい。
【０１３６】
以上説明したように、本実施の形態によれば、検出スイッチ７０ａ，７０ｃは、蓄電システム１０００の構成状態である連結状態Ｘおよび非連結状態ＮＸを選択的に検出する。制御部１１０は、検出スイッチ７０ａ，７０ｃが検出した構成状態に基づいて、パワーコンディショナー１００への電力の供給を制御するための処理を行う。
【０１３７】
これにより、蓄電システム１０００の構成状態を考慮した、パワーコンディショナー１００への電力の供給の制御を行うことができる。
【０１３８】
また、本実施の形態によれば、制御部１１０は、検出スイッチ７０ａ，７０ｃが連結状態Ｘを検出し、かつ、検出スイッチ７０ｄが閉状態ＮＰを検出した場合、パワーコンディショナー１００へ電力が供給されるための処理を行う。すなわち、蓄電システムの構成状態が連結状態Ｘであり、かつ、扉２２の状態が閉状態ＮＰである場合、制御部１１０は、パワーコンディショナー１００へ電力が供給されるための処理を行う。これにより、パワーコンディショナー１００の安全性を確保した状態で、パワーコンディショナー１００へ電力を供給することができる。
【０１３９】
また、本実施の形態によれば、例えば、連結状態Ｘの蓄電システム１０００が揺れて、パワーコンディショナー１００と蓄電池ユニット２００との連結がはずれた場合、通常モードのパワーコンディショナー１００に対し電力の供給を停止するための電力制御処理Ｚが行われる。これにより、蓄電システム１０００の安全性を確保することができる。
【０１４０】
また、例えば、通常モードのパワーコンディショナー１００において、扉２２の状態が開状態Ｐになった場合に電力制御処理Ｚが行われることにより、作業者の安全性を確保することができる。
【０１４１】
また、本実施の形態に係る蓄電システム１０００では、連結状態Ｘおよび非連結状態ＮＸを選択的に検出する機能に加え、さらに、取付け状態Ａと、非取付け状態ＮＡとを選択的に検出する機能を有する検出スイッチ７０ａが使用される。これにより、蓄電システム１０００に必要な検出スイッチの数を削減することができる。したがって、蓄電システム１０００のコストを低減することができる。
【０１４２】
また、本実施の形態によれば、蓄電システム１０００の設置環境の状態に合わせて、パワーコンディショナー１００および蓄電池ユニット２００を設置することができる。例えば、連結されたパワーコンディショナー１００および蓄電池ユニット２００を、床に設置することにより、蓄電システム１０００の設置スペースを小さくできる。また、分離されたパワーコンディショナー１００および蓄電池ユニット２００を、異なる場所に設置することにより、蓄電システム１０００の設置場所の制限を緩和することができる。
【０１４３】
また、本実施の形態によれば、検出スイッチ７０ａ，７０ｂ，７０ｃ，７０ｄを利用して、パワーコンディショナー１００および蓄電池ユニット２００の設置状態、カバーＴＣ１およびカバーＢＣ１の取付け状態等が検出される。そして、当該検出された各状態に基づいて、電力の供給の制御が行われる。これにより、作業者によるメンテナンス作業の安全性を高めることができる。
【０１４４】
なお、従来では、住宅用の電力を供給するための、蓄電容量の大きい蓄電システムでは、住宅の設置環境に合わせて、以下のようにする必要がある。例えば、当該蓄電システムでは、パワーコンディショナーと蓄電池ユニットとを一体化した構成、および、パワーコンディショナーと蓄電池ユニットとを分離した構成のいずれで使用するかを、事前に決める必要がある。そして、決められた構成において、当該蓄電システムを稼働させることが一般的である。
【０１４５】
そのため、従来では、当該蓄電システムを設置した後に、蓄電池ユニットとパワーコンディショナーとを分離して設置、あるいは、蓄電池ユニットとパワーコンディショナーとを一体化して設置するというように、システムの構成を変更することが出来ないという問題点があった。
【０１４６】
また、従来では、蓄電容量の小さい蓄電池を本体から着脱可能な蓄電システムでは、以下のような問題点があった。例えば、当該蓄電システムでは、蓄電池を充電するために、当該蓄電池を本体に取り付ける際に、当該蓄電池と本体との連結が不完全な場合、充電が行えないという問題点があった。また、当該蓄電システムでは、通電状態において、筐体カバーが開けられた場合、作業者が誤って活電部に触れてしまうといった問題点があった。
【０１４７】
また、前述の関連技術Ｃでは、メンテナンス作業の安全性を高めるために、筐体カバーの開閉検知部と電源遮断に係わる制御回路とが多重化される。そのため、各筐体カバーに対して複数の制御回路を備える必要がある。したがって、筐体カバーの数が複数である場合、制御回路を筐体カバー毎に多重に設ける必要があった。そのため、構成が複雑になるという問題点がある。
【０１４８】
そこで、本実施の形態は上記のように構成されるため、上記の各問題点を解決することができる。
【０１４９】
（実施の形態１の変形例）
上述の実施の形態１では、蓄電システム１０００は、１つのパワーコンディショナー１００と、１つの蓄電池ユニット２００とから構成されるシステムとしたがこれに限定されない。
【０１５０】
例えば、パワーコンディショナー１００と蓄電池ユニット２００とを分離して設置する場合、蓄電システム１０００は、１つのパワーコンディショナー１００と複数の蓄電池ユニット２００とから構成されてもよい。すなわち、本変形例に係る蓄電システム１０００に含まれるパワーコンディショナー１００の数は１であり、当該蓄電システム１０００に含まれる蓄電池ユニット２００の数は２以上である。
【０１５１】
本変形例では、蓄電池ユニット２００の数を増減することにより、蓄電システム１０００の設置場所の制限を少なくすることができる。また、蓄電池ユニット２００の数を増減することにより、需要電力の容量に応じた蓄電システム１０００を構成することができる。
【０１５２】
（その他の変形例）
以上、本発明に係る配電システムおよび蓄電システムについて、実施の形態に基づいて説明したが、本発明は、これら実施の形態に限定されるものではない。本発明の主旨を逸脱しない範囲内で、当業者が思いつく変形を本実施の形態に施したものも、本発明に含まれる。つまり、本発明は、その発明の範囲内において、実施の形態、実施の形態の変形例を自由に組み合わせたり、実施の形態、実施の形態の変形例を適宜、変形、省略することが可能である。
【０１５３】
例えば、蓄電システム１０００は、図１および図２に示される全ての構成要素を含まなくてもよい。すなわち、蓄電システム１０００は、本発明の効果を実現できる最小限の構成要素のみを含めばよい。
【０１５４】
また、本発明は、蓄電システム１０００が備える特徴的な構成部の動作をステップとする電力制御方法として実現してもよい。また、本発明は、当該電力制御方法に含まれる各ステップをコンピュータが実行してもよい。また、本発明は、そのような電力制御方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０１５５】
上記実施の形態で用いた全ての数値は、本発明を具体的に説明するための一例の数値である。すなわち、本発明は、上記実施の形態で用いた各数値に制限されない。
【０１５６】
また、本発明に係る電力制御方法は、図５の電力制御処理Ｓ、または、電力制御処理Ｚに相当する。電力制御方法における各処理の実行される順序は、本発明を具体的に説明するための一例であり、上記以外の順序であってもよい。また、電力制御方法における処理の一部と、他の処理とは、互いに独立して並列に実行されてもよい。
【０１５７】
なお、本発明は、その発明の範囲内において、実施の形態、実施の形態の変形例を自由に組み合わせたり、実施の形態、実施の形態の変形例を適宜、変形、省略することが可能である。
【０１５８】
例えば、前述の連結構造ＣＮは、穴Ｈ２ｂおよび係止部Ｋ１ｂと、穴Ｈ１ａおよび係止部Ｋ３とから構成されるとしたがこれに限定されない。連結構造ＣＮは、例えば、１組の穴および係止部から構成（以下、「変形構成Ａ」ともいう）されてもよい。
【０１５９】
変形構成Ａでは、連結構造ＣＮは、例えば、穴Ｈ２ｂおよび係止部Ｋ１ｂのみから構成されてもよい。すなわち、変形構成Ａでは、連結構造ＣＮの全ては、穴Ｈ２ｂと係止部Ｋ１ｂとから構成される。この構成において、穴Ｈ２ｂおよび係止部Ｋ１ｂは、例えば、図２の蓄電システム１０００のＸ軸方向の中央部に設けられる。
【０１６０】
また、例えば、係止部Ｋ１ａ，Ｋ１ｂ，Ｋ２ａ，Ｋ２ｂの形状は、Ｌ字状（鍵状）に限定されず、他の形状であってもよい。例えば、穴Ｈ２ｂの形状を円状とした場合、係止部Ｋ１ｂの形状は、穴Ｈ２ｂに挿入されるための円柱状であってもよい。
【０１６１】
また、例えば、蓄電システム１０００では、検出スイッチ７０ａ，７０ｂ，７０ｃ，７０ｄ、すなわち、４つの検出スイッチを設ける構成としたがこれに限定されない。蓄電システム１０００に設けられる検出スイッチの数は、１〜３、または、５以上であってもよい。
【０１６２】
また、例えば、検出スイッチ７０ａ，７０ｂ，７０ｃ，７０ｄの各々は、レバー式のスイッチに限定されず、他の方式のスイッチであってもよい。検出スイッチ７０ａ，７０ｂ，７０ｃ，７０ｄの各々は、例えば、光を利用して係止部の状態を検出するスイッチであってもよい。
【０１６３】
また、例えば、蓄電システム１０００では、扉２２，５５を設けない構成（以下、「変形構成Ｂ」ともいう）としてもよい。変形構成Ｂでは、例えば、筐体２０および筐体５０の形状は、箱状である。
【０１６４】
なお、変形構成Ａに変形構成Ｂを組み合わせた構成（以下、「変形構成Ｃ」ともいう）としてもよい。変形構成Ｃでは、蓄電システム１０００に、例えば、検出スイッチ７０ｃのみが設けられる。この場合、変形構成Ｃが適用された前述の電力制御処理Ｓでは、例えば、制御部１１０は、検出スイッチ７０ｃが連結状態Ｘを検出した場合、パワーコンディショナー１００へ電力が供給されるための処理を行う。
【符号の説明】
【０１６５】
９  蓄電池、２０，５０  筐体、２２，５２  扉、２２ｘ  突起部、２３，５３  基板、７０ａ，７０ｂ，７０ｃ，７０ｄ  検出スイッチ、７１ａ，７１ｂ，７１ｃ，７１ｄ  検出回路、７２ａ，７２ｂ，７２ｃ，７２ｄ  レバー、１００  パワーコンディショナー、１１０  制御部、２００  蓄電池ユニット、１０００  蓄電システム、２０００  配電システム、ＢＣ１，ＴＣ１  カバー、Ｈ１ａ，Ｈ１ｂ，Ｈ２ａ，Ｈ２ｂ  穴、Ｋ１ａ，Ｋ１ｂ，Ｋ２ａ，Ｋ２ｂ，Ｋ３  係止部。
【図１】
2015233374.tif 000003
【図２】
2015233374.tif 000004
【図３】
2015233374.tif 000005
【図４】
2015233374.tif 000006
【図５】
2015233374.tif 000007